(57)【要約】      （修正有）【課題】  従来のような円周に沿うような方向への刺激ではなく、腟などの内壁に指圧刺激を与えることの出来るようなマッサージ器を提供する。【解決手段】  ケース１の内部に納められたモータ２の回転軸にカム３１が取り付けられており、このカム３１の位置に対応するケース壁面に開孔部１１が設けられていると共に、この開孔部に、カムの作用部（一般的には突起状の部分）が接触することによって押し出される指圧突起３が填め込まれている、指圧突起３を備えたマッサージ器とした。モータ２の回転軸から出力される回転は円運動であるが、これによってカム３１が回転し、このカムの動作がカムの作用部を介して指圧突起３に伝達され、指圧突起３が間欠的に押し出される。【選択図】  図１
2007082990.tif 000002
【特許請求の範囲】
【請求項１】
ケースの内部に納められたモータの回転軸にカムが取り付けられており、このカムの位置に対応するケース壁面に開孔部が設けられていると共に、この開孔部にカムの作用部が接触することによって押し出される指圧突起が填め込まれていることを特徴とする、指圧突起を備えたマッサージ器。
【請求項２】
モータの回転軸に複数個のカムが取り付けられており、その各々に対応させて前記開孔部と指圧突起とが設けられている、請求項１に記載の指圧突起を備えたマッサージ器。
【請求項３】
前記複数個のカムが、その作用部の位置をずらすようにしてモータの回転軸に取り付けられている、請求項２に記載の指圧突起を備えたマッサージ器。
【請求項４】
前記複数個のカムの内にその作用部の数の異なるものが取り付けられている、請求項２に記載の指圧突起を備えたマッサージ器。
【請求項５】
ケースを覆うための柔軟な素材から成るカバーが掛けられている、請求項１に記載の指圧突起を備えたマッサージ器。
【請求項６】
このマッサージ器にバイブレータが設けられている、請求項１に記載の指圧突起を備えたマッサージ器。
【発明の詳細な説明】
【技術分野】
【０００１】  この発明は単に振動を与えるのみならず、ケースに指圧突起を備えることによって新感覚の指圧を行なうことが出来る、指圧突起を備えたハンディータイプのマッサージ器（感覚鍛練具である）に係り、特に腟のような器官に挿入してこれを内側から指圧するためのマッサージ器に関するものである。
【背景技術】
【０００２】  これまでにも陰茎を模した形状の腟内に挿入するマッサージ器としては、内部にバイブレータを内蔵するものや、単なる棒状のものなど様々なタイプのものが提案されている。この内、腟内に挿入する柔軟な素材から成る挿入部とモータや電池やスイッチを納めたハンドル部とから成るものでは、前記モータの回転軸に延設された緩やかなカーブを有する回転杆が前記挿入部内にあり、前記モータの回転に伴なって首を振るような回転を行ない、これが挿入部にも首振り運動を生じさせるように構成されている。【０００３】  なお前記バイブレータは一般的に偏心重錘を有するモータによって構成されているものであり、このモータに電池とスイッチとが接続されている。また例えば特表２００３−５１４６０８のように、更に前記モータの動きを細かく制御するためのコントローラが接続されているものがある。
【特許文献１】特表２００３−５１４６０８
【発明の開示】
【発明が解決しようとする課題】
【０００４】  しかしながら上述のような単なる棒状のものでは挿入感しか与えることが出来ない。また内部にバイブレータを内蔵するものでは振動刺激しか与えることが出来ない。また上述した腟内に挿入する柔軟な素材から成る挿入部とモータや電池やスイッチを納めたハンドル部とから成るマッサージ器では、前記モータの回転方向への刺激を挿入部を通して腟内壁に伝えることが出来るのであるが、腟内壁に加えられる恰かも円周に沿うような方向のみの刺激だけでは単調なものになりやすく、マッサージの効果も限定的なものに止まると言う問題がある。腟内壁に指圧のような刺激を与えることが出来たら、感覚鍛練効果が高くなることは明白である。【０００５】  そこでこの発明は上述した円周に沿うような方向への刺激ではなく、腟などの内壁に指圧刺激を与えることの出来るような、全く新しいマッサージ器の提供を課題とする。
【課題を解決するための手段】
【０００６】  上記課題は、ケースの内部に納められたモータの回転軸にカムが取り付けられており、このカムの位置に対応するケース壁面に開孔部が設けられていると共にこの開孔部にカムの作用部が接触することによって押し出される指圧突起が填め込まれていることを特徴とする、指圧突起を備えたマッサージ器とすることにより達成される。なお上述の柔軟な素材から成る挿入部とモータや電池やスイッチを納めたハンドル部とから成るマッサージ器にこの発明を適用する場合で、回転杆を備えたものでは、この回転杆をカムを取り付ける回転軸としてそのまま利用することが出来る。【０００７】  モータの回転軸から出力される回転は円運動であるが、これによってカムが回転し、このカムの動作がカムの作用部（一般的には突起状の部分）を介して指圧突起に伝達され、指圧突起が間欠的に押し出される。これにより指圧突起が腟などの内壁に対して指圧するような刺激を与えることが可能となり、効果的なマッサージ効果が得られるのである。【０００８】  なおカムの作用部の大きさや形状を変えることで指圧突起による指圧力や指圧パターンに変化を与えることができる。またカムの作用部に押されていない時には指圧突起には力が働いていないが、これをバネなどを介在させることによってカムの作用部に押されていない時には戻るように付勢するように構成することも可能である。また指圧突起の形状や素材の選択に付いては任意である。【０００９】  次に上述したような指圧突起を備えたマッサージ器に於いて、モータの回転軸に複数個のカムが取り付けられており、その各々に対応させて前記開孔部と指圧突起とが設けられているものとすることが出来る。モータの回転軸の長手方向に沿ってカムが並ぶが、これに対応して複数個の指圧突起が並んでいるため、より広い範囲に指圧作用を加えることが出来る。【００１０】  このことに関連して、前記複数個のカムが、その作用部の位置をずらすようにしてモータの回転軸に取り付けられているものとしても良い。例えばカムが２回対称の位置にカムの作用部を備えているものでは、このカムに隣合うカムを作用部の方向が直角となるように配置するのである。するとカムの作用部が回って来た側の指圧突起は押し出される。この時に隣合うカムの側では作用部は指圧突起の位置になく指圧突起に力は加えられないが、この後モータの回転軸が９０度回転するとカムの作用部が回って来て指圧突起が押し出されるようになる。従って隣合うカムは間欠的に且つ交互に指圧突起が腟などの内壁に対して指圧するような刺激を与えることになる。【００１１】  また前記複数個のカムの内にその作用部の数の異なるものが取り付けられているものとしても良い。例えばあるカムは３回対称の位置にカムの作用部を備えており、また他のカムは４回対称の位置にカムの作用部を備えている、などとするのである。これにより何れのカムも間欠的にではあるが、しかし指圧突起を押し出すタイミングが異なることになり、部分部分で異なる刺激を与えることが出来るのである。【００１２】  さて請求項１に記載の指圧突起を備えたマッサージ器に於いてケースを覆うための柔軟な素材から成るカバーが掛けられているものとすることが出来る。このカバーにはゴ���素材のもの、プラスチック素材のもの、布素材のものなどで柔軟なものが任意に利用可能である。皮膚に触れる指圧突起が前記カバーで覆われているために当たりがソフトなものと成り、効果的なマッサージ作用が得られる。或いは好みのカバーに交換し得るように、カバーをケースに対して着脱自在とするなどもよい。このような構成であるため特にデリケートな腟などの内壁に対してはこのカバーの裏側から指圧するようになる。従ってこのようなカバーを介しての当たりはソフトなものであり、やはり心地良いものである。【００１３】  なおマッサージ器が、モータを納めた腟内に挿入する柔軟な素材から成る挿入部と、電池やスイッチを納めたハンドル部とから成るものでは、この挿入部に前記カバーを掛ける構成が可能である。【００１４】  また請求項１に記載の指圧突起を備えたマッサージ器に於いて、マッサージ器にバイブレータが設けられているものとすることが出来る。前記バイブレータとしては偏心重錘を有するモータに電池とスイッチとが接続されているものなどを例に上げることが出来る。この場合モータの回転により偏心重錘が回転するが、偏心重錘であるが故に振動を発生するのである。これによればバイブレーション（振動刺激）を加えつつこの発明に於ける指圧効果を与えることが可能であり、相乗効果を上げることが出来るのである。【００１５】  なおこのマッサージ器本体から分岐する突出部を設けて、そこにバイブレータを納めた構成とすることが可能である。またこの突出部はこのマッサージ器本体とは別の身体部位をマッサージする目的に使用し得るように構成することが可能である。
【発明の効果】
【００１６】  この発明は、腟のような器官に挿入してこれを内側から擦るためのマッサージ器（感覚鍛練具である）のケースに、モータで動作する指圧用の突起が設けられているものとした。これによって身体皮膚、特に腟などの内壁に指圧刺激を加えることが可能となり、新感覚を与えることに成功している。
【発明を実施するための最良の形態】
【００１７】  以下ではこの発明のいくつかの実施形態を図面を参照しつつ説明するが、この発明はこれ等に限定されるものではない。【００１８】  第１実施形態
図１乃至図３はこの発明の第１実施形態のマッサージ器（感覚鍛練具である）を表したものである。腟のようなトンネル状の器官に挿入可能な形状のケース１の周囲壁部に設けた開孔部から指圧突起が突出しており、ケース１内部に設けたモータを動力に、この指圧突起で腟などの内壁に指圧刺激を加えるものである。【００１９】  このケース１は、その底部に、図示しないコントローラ兼電池ボックスを取り付けることが出来る接続部１３０が設けられている。この接続部１３より先方にはモータ２が納められている。このモータ２のシャフトはギヤボックス２１に接続されており、ここで減速された回転力が回転軸２２に出力されるように成っている。なおケース１は縦２分割に成型されて成るものであり、これ等を合わせてネジ孔１２で止めてケース１が組み立てられている。またモータ２のリード線２０は接続部１３の部位の隔壁から引き出されて、上述したコントローラ兼電池ボックスに接続されている。電池ボックスには乾電池が収納されている。またコントローラはモータ２の回転数を制御するための、すなわち後述するように指圧突起３に圧力を加えるリズムを制御するためのスライダックを備えている（図示せず）。【００２０】  ケース１内の前記回転軸２２の先には、指圧突起３回りの構成を納める隔壁１０が形成されている。この隔壁１０の間に前記回転軸２２に取り付けられたカム３０が回転自在に納められている。この実施形態に於けるカム３１は楕円形状を呈しており、図２及び図３から明らかなように直径の大きな部分と小さな部分とから成る。従ってこの発明で言うところのカムの作用部とはカム３１では直径の大きな部分と言うことになる。またこのカム３０に対応させてケース１の周囲壁部の４回対称の位置に開孔部１１が形成されており、ここに内側から指圧突起３が挿着されている。この指圧突起３は、指圧突起３よりも幅広の受圧板３０を備えているため開孔部１１から外へ飛び出すようなことはない。【００２１】  従ってモータ５の回転に伴って回転軸２２が回転するとカム３１が回転し、カム３１の作用部が前記受圧板３０を押した時に、指圧突起３が外方向に押し出されることになる。またカム３１の作用部が前記受圧板３０に作用しなくなった時に、指圧突起３を押し出そうとする力が指圧突起３に働かなくなるのである。このようにして指圧突起３が力を加えられたり解放されたりすることによって、腟などの内壁に指圧刺激を加えることが出来るのである。なおこの実施形態のマッサージ器では、ケース１に図示しないコントローラ兼電池ボックスが取り付けられた後で、鎖線で示すようなシリコン樹脂製のカバー４が掛けられる。従って前記指圧突起３による指圧刺激は、このカバー４を介して腟などの内壁に加えられることになる。【００２２】  図２では４回対称の位置に設けられている４つの指圧突起３に付き、図の左右側の指圧突起３，３にカム３１の作用部の力が図の矢印の方向に加わっており、図の上下側の指圧突起にはカム３１の作用部の力が加えられていない状態（この状態のカムに符号３’を振った）が表わされている。この後にカム３１の回転に伴なって次のような変化が生ずる。すなわちカム３１が４分の１回転すると、カム３１の作用部が図���で表わした位置に来るが、これによって図の上下側の指圧突起３，３にカム３１の作用部の力が図の矢印の方向に加わるようになり、他方で図の左右側の指圧突起にはカム３１の作用部の力が加わらない状態（上記同様この状態のカムに符号３’を振った）になるのである。このような一連の動作がモータ５の回転に伴ってリズミカルに繰り返される。【００２３】  この結果このケース１が腟などの器官の内にあれば、力が加えられたり、力が加えられなくなったりする指圧突起３によって、腟の内壁にリズミカルな指圧刺激が与えられることになり、今までにない感覚のマッサージ効果を与えることが出来るのである。【００２４】  第２実施形態
図４はこの発明の第２実施形態のマッサージ器（感覚鍛練具である）を表したものである。腟のようなトンネル状の器官に挿入可能な形状の、ケース１の周囲壁部の４回対称の位置に設けた開孔部から指圧突起が突出しており、ケース１内部に設けたモータを動力にしてこの指圧突起で腟などの内壁に指圧刺激を加えるものであり、上述した第１実施形態の感覚鍛練具に設けられているカム３１と指圧突起３との組をケース１の長手方向に３組設けている点に特徴を有するものである。図４（ａ）は半割りされたケース１の上述の各部品が組み込まれた側を表わしたものであり、（ｂ）はもう片側のケース１を表わしたものであるが、こちらの側には前記モータ２とは別のモータ５が組み込まれている。ここで分解して表わした（ａ）（ｂ）のケースが互いに組み付けられて１つの感覚鍛練具が完成すると言うわけである。【００２５】  ケース１内に於いて隔壁１０は、指圧突起３回りの構成を３組分納めることが出来るように設けられている。そして前記回転軸２２には３つのカム３０の内の中央の１つが他のカムに比して回転方向に９０度回転した状態で取り付けられている。【００２６】  このように構成されていることにより、回転軸２２の回転に伴なって４方向３列に配置された指圧突起３がリズミカルに押し出されたり、力が加えられなくなったりする。すなわちケース１の先端部に近い側のカム３１の作用部の力が図の左右側の指圧突起３，３に加わった時には、図には現われていない手前側と奥側の指圧突起（３’，３’）にはカム３１の作用部の力が加えられていない。これと同様の状態は、ケース１の後端部に近い側の指圧突起に付いても生じている。これに対して中央部分のカム３１に関してはカム３０が他のカムに比して回転方向に９０度回転した状態で取り付けられていることによって、カム３１の作用部の力は図には現われていない手前側と奥側との指圧突起に加えられている。従って図の左右側にはカム３１の作用部の力が加えられていない指圧突起３’，３’が描かれているのである。【００２７】  従って４方向３列に配置された指圧突起３により、腟の内壁にはより複雑でかつ広範囲な指圧刺激を与え得ることがこの実施形態の特長となっている。これによって今までにない感覚のマッサージ効果を与えることが出来るのである。【００２８】  なお上述したように図４（ｂ）の片側のケース１にはモータ５が納められている。このリード線５０は上述したコントローラ兼電池ボックスに接続されている。またモータ５のシャフトには偏心重錘５１が取り付けられている。モータ５をＯＮ状態にすると、偏心重錘５１が回転するシャフトに偏って固定されているために振動を発する。この振動は直接的にはケース１の先端部を震えさせるが、更に前記４方向３列に配置された指圧突起３に及ぶ。従ってモータ５をＯＮ状態にすると更に腟の内壁にバイブレーション効果を与えることが出来るのである。【００２９】  第３実施形態
図５はこの発明の第３実施形態のカム６を表わしたものである。上述した第１及び第２実施形態に於けるカム３１の形状は、図２及び図３で表わされている通りであるが、このカムの形状を変えることで、指圧突起に加えられる押す力のリズムやパターンを変化させることが可能である。図５のカム６は角丸の三角形状を呈し、中心部分を前記回転軸２２に挿して固定するものである。【００３０】  カム６の三角形状は作用部が３回対称の位置に来るようにデザインされている。従って回転軸２２が１回転する毎に図示しない指圧突起には、３回作用部が接触して力が加えられ押し出されることになる。【００３１】  第４実施形態
図６はこの発明の第４実施形態のカム６０を表わしたものである。このカム６０は角丸の十字形状を呈する。カム６０は作用部が４回対称の位置に在ることになり、指圧突起には回転軸２２が１回転する毎に４回力が加えられることになる。上述した第３実施形態と同様で、指圧突起に加えられる力のリズムが上述した第１実施形態及び第２実施形態のものとは異なる。【００３２】  第５実施形態
図７はこの発明の第５実施形態のカム６１を表わしたものである。このものは上述した第３実施形態の三角形状のカムの変形例であって、作用部は３回対称の位置に置かれているものの、３つある作用部の回転軸２２からの距離が異なるように設計されているものである。このことは回転軸２２を中心とする、鎖線で表わした同心円が３つあることにより了解される。従って回転軸２２が１回転する毎に指圧突起３には、等しい間隔で３回作用部が接触するが、指圧突起３を押し出す力には３種類の強弱が付くことになる点に特徴を有する。これにより腟の内壁には異なる強弱の刺激を等間隔で与えることが出来ると言う特長を生ずるのである。なお更に作用部を３回対称の位置からずらして設けることによって、指圧刺激に複雑度を加えることが可能である。【００３３】  ところでこの実施形態の指圧突起３にはコイル状のバネ３２が取り付けられている。このバネ３２は内部に指圧突起３を通すようにして、前記受圧板３０とケース１の内壁との間に納められている。受圧板３０がカム６１の何れかの作用部に押されるとその力に応じた反発力が発生して指圧突起３を内方に引き戻そうとする。これによって受圧板３０からカム６１の作用部からの力が取り去られると、指圧突起３は積極的に内方に戻ろうとするのである。【００３４】  第６実施形態
次に図８はこの実施形態のマッサージ器（感覚鍛練具である）を表わしたものである。このものは上述した第２実施形態のマッサージ器のケース１の側面部に、ここから分岐する突出部７が設けられている点に特徴を有する。この突出部７はこのマッサージ器本体とは別の身体部位をマッサージするために設けられている。更に突出部７にはバイブレータが設けられている。すなわち突出部７内にはモータ８が納められており、このモータ８のシャフト８０に偏心重錘８１が取り付けられている。このモータ８の配線先やスイッチなどの制御部には、上述したコントローラ兼電池ボックスを利用するのが合理的であるが、これには拘らない。【００３５】  モータ８をＯＮ状態にすると、偏心重錘８１が回転するシャフト８０に偏って固定されているために振動を発する。この振動は直接的には突出部７を震えさせるが、ケース１側に及ぶこともある。
【産業上の利用可能性】
【００３６】  この発明のマッサージ器の指圧突起は腟などのトンネル状の器官の内壁以外にも、例えば背中などを指圧する目的のものとして使用したり構成することが可能である。
【図面の簡単な説明】
【００３７】
【図１】  第１実施形態の分解側面図である。
【図２】  動作状態の説明図である。
【図３】  動作状態の説明図である。
【図４】  第２実施形態の分解側面図である。
【図５】  第３実施形態のカム６の説明図である。
【図６】  第４実施形態のカム６０の説明図である。
【図７】  第５実施形態のカム６１の説明図である。
【図８】  第６実施形態の説明図である。
【符号の説明】
【００３８】  １    ケース
１０  隔壁
１１  開孔部
１２  ネジ孔
１３  接続部
２    モータ
２０  リード線
２１  ギヤボックス
２２  回転軸
３    指圧突起
３’  指圧突起
３０  受圧板
３１  カム
３２  バネ
４    カバー
５    モータ
５０  リード線
５１  偏心重錘
６    カム
６０  カム
６１  カム
７    突出部
８    モータ
８０  シャフト
８１  偏心重錘
【図１】
2007082990.tif 000003
【図２】
2007082990.tif 000004
【図３】
2007082990.tif 000005
【図４】
2007082990.tif 000006
【図５】
2007082990.tif 000007
【図６】
2007082990.tif 000008
【図７】
2007082990.tif 000009
【図８】
2007082990.tif 000010